(57)【要約】【課題】  遺影写真を見る際に、その遺影写真の故人の続柄、繋がり関係、家紋等の多くの故人情報が容易に解る故人録付遺影写真額を提供する。【解決手段】  額本体３の額縁４の下部に軸ケース５が取り付けられ、軸ケース５内に、故人情報を書き込み又は貼り付け可能な故人記録軸７が繰り出し自在に巻き取られている。また、前記軸ケース５は左右方向に長い筒状に形成され、軸ケース５の上部側に額縁４の下部が嵌合固着され、軸ケース５内に故人記録軸７を巻き取る左右方向の巻取軸１９が軸心廻りに回転自在に支持されると共に故人記録軸７を巻き取る方向に巻取軸１９を回転させるべく付勢する付勢手段２０が設けられ、軸ケース５の下部側に引出口２２が左右方向に設けられ、引出口２２から故人記録軸７が引き出し自在とされている。【選択図】図１
0003175514.tif 000002
【実用新案登録請求の範囲】
【請求項１】
額本体（３）の額縁（４）の下部に軸ケース（５）が取り付けられ、軸ケース（５）内に、故人情報を書き込み又は貼り付け可能な故人記録軸（７）が繰り出し自在に巻き取られていることを特徴とする故人録付遺影写真額。
【請求項２】
前記軸ケース（５）は左右方向に長い筒状に形成され、軸ケース（５）の上部側に額縁（４）の下部が嵌合固着され、軸ケース（５）内に故人記録軸（７）を巻き取る左右方向の巻取軸（１９）が軸心廻りに回転自在に支持されると共に故人記録軸（７）を巻き取る方向に巻取軸（１９）を回転させるべく付勢する付勢手段（２０）が設けられ、軸ケース（５）の下部側に引出口（２２）が左右方向に設けられ、引出口（２２）から故人記録軸（７）が引き出し自在とされていることを特徴とする請求項１に記載の故人録付遺影写真額。
【請求項３】
故人記録軸（７）の引き出し端部に、引出口（２２）から軸ケース（５）内に挿入不能な巻き込み防止ストッパー（２４）が設けられ、巻き込み防止ストッパー（２４）に引き出し用クリップ（２５）が突設されていることを特徴とする請求項２に記載の故人録付遺影写真額。
【請求項４】
故人記録軸（７）の巻き取り長さ（Ｌ３）は故人録付遺影写真額全体の縦幅（Ｌ２）と同程度の長さを有し、故人記録軸（７）の表面側に死去年月日、両親氏名と出身住所、兄弟姉妹氏名、続柄、家紋等の多数の故人情報が書き込み又は貼り付け可能とされていることを特徴とする請求項１〜３のいずれかに記載の故人録付遺影写真額。
【考案の詳細な説明】
【技術分野】
【０００１】
本考案は、故人情報を書き込み又は貼り付けることができる故人録付遺影写真額に関するものである。
【背景技術】
【０００２】
遺影写真額は単に遺影写真を飾る機能に重点があり、両親氏名と出身住所、兄弟姉妹氏名、続柄、家紋等の故人情報を表示するようになっていないのが一般的であった。従って、遺影写真額は遺影写真を見て懐かしむだけで、遺影写真額を見ただけでは、故人の死去年月日、両親氏名と出身住所、兄弟姉妹氏名、続柄、家紋等が解らないので、不便であった。
そこで、従来の遺影写真額には、遺影写真額の上部に遺影に関する俗名、命日、続柄等を表示可能な表示バーを設けたものがある（特許文献１）。また、遺影写真額の下部等に家紋を配するようにしたものもある（特許文献２）。
【先行技術文献】
【特許文献】
【０００３】
【特許文献１】実公昭６２−９５９号公報
【特許文献２】特開平７−２９８９６７号公報
【考案の概要】
【考案が解決しようとする課題】
【０００４】
しかし、従来のものでは、両親氏名と出身住所、兄弟姉妹氏名、続柄、家紋その他の多くの故人情報をコンパクトに表示することができず、遺影写真額から十分な故人情報を得ることはできず、やはり不便であった。
本考案は上記問題点に鑑み、遺影写真と故人情報とを一体化して、遺影写真を見る際に、その遺影写真の故人の続柄、繋がり関係、家紋等の多くの故人情報が容易に解る故人録付遺影写真額を提供することを目的とする。
【課題を解決するための手段】
【０００５】
本考案における課題解決のための具体的手段は、次の通りである。
この技術的課題を解決する本考案の技術的手段は、額本体３の額縁４の下部に軸ケース５が取り付けられ、軸ケース５内に、故人情報を書き込み又は貼り付け可能な故人記録軸７が繰り出し自在に巻き取られている点にある。
また、本考案の他の技術的手段は、前記軸ケース５は左右方向に長い筒状に形成され、軸ケース５の上部側に額縁４の下部が嵌合固着され、軸ケース５内に故人記録軸７を巻き取る左右方向の巻取軸１９が軸心廻りに回転自在に支持されると共に故人記録軸７を巻き取る方向に巻取軸１９を回転させるべく付勢する付勢手段２０が設けられ、軸ケース５の下部側に引出口２２が左右方向に設けられ、引出口２２から故人記録軸７が引き出し自在とされている点にある。
また、本考案の他の技術的手段は、故人記録軸７の引き出し端部に、引出口２２から軸ケース５内に挿入不能な巻き込み防止ストッパー２４が設けられ、巻き込み防止ストッパー２４に引き出し用クリップ２５が突設されている点にある。
また、本考案の他の技術的手段は、故人記録軸７の巻き取り長さＬ３は故人録付遺影写真額全体の縦幅Ｌ２と同程度の長さを有し、故人記録軸７の表面側に死去年月日、両親氏名と出身住所、兄弟姉妹氏名、続柄、家紋等の多数の故人情報が書き込み又は貼り付け可能とされている点にある。
【考案の効果】
【０００６】
請求項１によれば、軸ケースから故人記録軸を繰り出すことにより、故人記録軸を大きく広げて、ここに多数の故人情報を書き込み又は貼り付けることができる。また、このように故人情報を書き込んだ又は貼り付けた故人記録軸を軸ケースから繰り出すことにより、多数の故人情報を容易に知ることができ、遺影写真と故人情報とを一体化して、遺影写真を見る際にその遺影写真の故人の続柄、繋がり関係、家紋等の多くの故人情報が容易に解るので、便利である。
例えば、法事（法要）の時や帰省時に遺影写真を見ながら故人記録軸を引っ張り出して故人情報を再確認し、親族（親戚）みんなで故人を偲んで話ができる。また、故人の続柄、繋がり関係が解り、法要の引出物にかけるのし書きに不明な点がある場合、過去帳、位牌をその都度取り出さなくてもスムーズに確認できる。また、盆提灯、灯籠等に家紋を入れる時、墓（風化して見えなくなっている場合がある）に行って確認しなくても故人記録軸ですぐ解る。この故人情報は永代にわたって残るし、故人の家系を理解できる。また、現在遺骨を寺の納骨堂に安置する家庭が多いので家紋確認に便利である。
しかも、軸ケース内に、故人記録軸を簡単に巻き取ることができ、故人記録軸をコンパクトに収納することができ、従来の遺影写真額と同様に、葬儀、法事にて祭壇に飾り置くことができるし、勿論、仏間の天井付近に飾ることもできる。
請求項２によれば、軸ケースの上部側に額縁の下部を嵌合固着することによって、額本体と軸ケースとを互いに嵌め込んで額本体に軸ケースを取り付けることができ、額本体と軸ケースとが互いに外れにくくなって、両者を簡単かつ確実に一体化（合体）することができ、故人録付遺影写真額の取り扱いに便利である。
また、付勢手段によって、軸ケース内に故人記録軸を自動的に巻き取ることができ、故人情報を見ない場合には故人記録軸を容易かつ迅速にコンパクトに収納することができる。さらに、引出口から故人記録軸を容易に引き出して、故人情報を容易に見ることでき、便利である。
請求項３によれば、巻き込み防止ストッパーによって、故人記録軸の引き出し端部が軸ケース内に巻き取られるのを確実に防止することができ、故人記録軸を軸ケースから繰り出す際に引き出し用クリップを持って引っ張ることにより、巻取軸で巻き取って軸ケースに収納した故人記録軸を軸ケース内から簡単に引き出すことができ、多数の故人情報を容易に確認することができる。
請求項４によれば、宗教は問わず、故人記録軸には死去年月日、両親氏名と出身住所、兄弟姉妹氏名、故人名、法名、戒名、続柄、家紋、家紋名等の多数の故人情報を書き込み又は貼り付けることができ、故人記録軸を軸ケースにコンパクトに収納できるにも拘わらず、非常に多くの故人情報を簡単に得ることが可能になる。
【図面の簡単な説明】
【０００７】
【図１】本考案の一実施形態を示す故人録付遺影写真額の全体斜視図である。
【図２】同繰り出した状態の故人記録軸の正面図である。
【考案を実施するための形態】
【０００８】
以下、本考案の実施の形態を図面に基づいて説明する。
図１及び図２は本考案の一実施形態を示している。図１において、故人録付遺影写真額１は、額本体３の額縁４の下部に軸ケース５が取り付けられ、軸ケース５内に、故人情報を書き込み又は貼り付け可能な故人記録軸７が繰り出し自在に巻き取られている。
額本体３は、矩形状の額縁４とガラス製又は合成樹脂製の透明板１１と裏板１２とを備え、額縁４の裏側の周囲に形成された段差部を有する開口部に透明板１１と裏板１２とが内嵌状に配置され、透明板１１と裏板１２との間に遺影写真１３が挟持され、額本体３の表側から遺影写真１３が透明板１１を通して見えるようになっている。
なお、額縁４の裏側には、開口部に嵌合される裏板１２を係合保持する複数の裏板係止具が設けられていると共に、壁掛け用フック等が設けられており、壁掛け用フック等で壁等に引っ掛けおくことができるようになっている。
額本体３の左右幅Ｌ１は従来の一般的な遺影写真額の左右幅と同様に例えば３５５ｍｍ程度に設定され、額本体３の上端から軸ケース５の下端に亘る故人録付遺影写真額１全体の縦幅Ｌ２は従来の一般的な遺影写真額の縦幅（４３５ｍｍ）よりもやや長い例えば４５０ｍｍ程度に設定されている。
軸ケース５は左右方向に長い円筒状に形成され、軸ケース５の直径は５０ｍｍ程度に設定されている。軸ケース５の上部側に額縁４の下部に対応する左右幅を有する嵌合凹部１７が設けられ、この嵌合凹部１７を介して軸ケース５の上部側に額縁４の下部が嵌合固着され、これにより額本体３と軸ケース５とが一体化されている。
軸ケース５の左右幅は額本体３の左右幅Ｌ１よりもやや大とされ、軸ケース５の左右両端部は額縁４の下部から左右両側に外方突出されている。
軸ケース５内に、故人記録軸７を巻き取る左右方向の巻取軸１９が軸心廻りに回転自在に支持され、この巻取軸１９に故人記録軸７の巻き取り端部が連結されている。軸ケース５内の左右方向の一端部又は両端部等には、故人記録軸７を巻き取る方向に巻取軸１９を回転させるべく付勢する巻きバネ等の付勢手段２０が設けられている。
軸ケース５の下部側に引出口２２が左右方向に開口形成されており、引出口２２から故人記録軸７が引き出し自在とされている。故人記録軸７の左右幅及び引出口２２の左右幅は、額本体３の左右幅と略同程度の寸法とされている。
故人記録軸７の引き出し端部に、引出口２２から軸ケース５内に挿入不能な巻き込み防止ストッパー２４が設けられ、巻き込み防止ストッパー２４の左右方向の中央部に引き出し用クリップ（引き出し用取っ手）２５が下方側に突設されている。
巻き込み防止ストッパー２４は左右方向に長い棒状であって、巻き込み防止ストッパー２４に故人記録軸７の引き出し端部が連結され、巻き込み防止ストッパー２４の左右方向の長さは引出口２２の左右幅よりも長く形成され、巻き込み防止ストッパー２４の左右両端部は故人記録軸７の引き出し端部から左右両側に外方突出されている。
軸ケース５内に、前記付勢手段２０の付勢に抗して巻取軸１９の軸心廻りの回転を止めるストッパー機構２７が設けられており、引き出し用クリップ２５を持って故人記録軸７を最後まで引っ張り出せば巻取軸１９の巻き取り方向への回転が止まり、再度故人記録軸７を少し引っ張れば、巻取軸１９が巻き取り方向に回転して故人記録軸７を巻き取るように構成されている。
故人記録軸７の巻き取り長さ（繰り出し長さ）Ｌ３は、故人録付遺影写真額１全体の縦幅Ｌ２と同程度の４５０ｍｍ程度に設定されている。故人記録軸７の表面側に故人情報表示箇所２９が設けられ、ここに、死去年月日、両親氏名と出身住所、兄弟姉妹氏名、続柄、家紋等の多数の故人情報が書き込み又は貼り付け可能とされている。
故人記録軸７の故人情報表示箇所２９に、例えば、図２に示すように多数の故人情報を書き込み又は貼り付けるようになっている。
即ち、図２に示すように、故人記録軸７の故人情報表示箇所２９に、死去年月日が表示される（書き込み又は貼り付けられる）第１表示部Ｅ１と、宗教を問わず故人名又は法名、戒名が表示される第２表示部Ｅ２と、家紋が表示される第３表示部Ｅ３と、家紋名が表示される第４表示部Ｅ４と、○○家長男又は長女等が表示される第５表示部Ｅ５と、故人の両親氏名と出身住所が表示される第６表示部Ｅ６と、故人名と続柄、兄弟、姉妹氏名が表示される第７表示部Ｅ７とが設けられている。
上記実施形態によれば、故人録付遺影写真額１の全体のサイズは従来の遺影写真額のサイズと略同程度であり、葬儀、法事にて祭壇に飾り置くことができる。勿論、仏間の天井付近に飾ることもできる。
そして、額本体３の額縁４の下部に軸ケース５が取り付けられ、軸ケース５内に、故人情報を書き込み又は貼り付け可能な故人記録軸７が繰り出し自在に巻き取られているので、軸ケース５から故人記録軸７を繰り出すことにより、故人記録軸７を大きく広げて、ここに多数の故人情報を書き込み又は貼り付けることができる。また、このように故人情報を書き込んだ又は貼り付けた故人記録軸７を軸ケース５から繰り出すことにより、多数の故人情報を容易に知ることができ、遺影写真１３と故人情報とを一体化して、遺影写真１３を見る際にその遺影写真１３の故人の続柄、繋がり関係、家紋等の多くの故人情報が容易に解るので、便利である。
例えば、法事（法要）の時や帰省時に遺影写真１３を見ながら故人記録軸７を引っ張り出して故人情報を再確認し、親族（親戚）みんなで故人を偲んで話ができる。また、故人の続柄、繋がり関係が解り、法要の引出物にかけるのし書きに不明な点がある場合、過去帳、位牌をその都度取り出さなくてもスムーズに確認できる。また、盆提灯、灯籠等に家紋を入れる時、墓（風化して見えなくなっている場合がある）に行って確認しなくても故人記録軸７ですぐ解る。この故人情報は永代にわたって残るし、故人の家系を理解できる。また、現在遺骨を寺の納骨堂に安置する家庭が多いので家紋確認に便利である。
しかも、軸ケース５内に、故人記録軸７を簡単に巻き取ることができ、故人記録軸７をコンパクトに収納することができる。
また、軸ケース５は左右方向に長い円筒状に形成され、軸ケース５の上部側に額縁４の下部が嵌合固着され、軸ケース５内に故人記録軸７を巻き取る左右方向の巻取軸１９が軸心廻りに回転自在に支持されると共に故人記録軸７を巻き取る方向に巻取軸１９を回転させるべく付勢する付勢手段２０が設けられ、軸ケース５の下部側に引出口２２が左右方向に設けられ、引出口２２から故人記録軸７が引き出し自在とされているので、軸ケース５の上部側に額縁４の下部を嵌合固着することによって、額本体３と軸ケース５とを互いに嵌め込んで額本体３に軸ケース５を取り付けることができ、額本体３と軸ケース５とが互いに外れにくくなって、両者を簡単かつ確実に一体化（合体）することができ、故人録付遺影写真額１の取り扱いに便利である。
また、付勢手段２０によって、軸ケース５内に故人記録軸７を自動的に巻き取ることができ、故人情報を見ない場合には故人記録軸７を容易かつ迅速にコンパクトに収納することができる。さらに、引出口２２から故人記録軸７を容易に引き出して、故人情報を容易に見ることでき、便利である。
また、故人記録軸７の引き出し端部に、引出口２２から軸ケース５内に挿入不能な巻き込み防止ストッパー２４が設けられ、巻き込み防止ストッパー２４に引き出し用クリップ２５が突設されているので、巻き込み防止ストッパー２４によって、故人記録軸７の引き出し端部が軸ケース５内に巻き取られるのを確実に防止することができ、故人記録軸７を軸ケース５から繰り出す際に引き出し用クリップ２５を持って引っ張ることにより、巻取軸１９で巻き取って軸ケース５に収納した故人記録軸７を軸ケース５内から簡単に引き出すことができ、多数の故人情報を容易に確認することができる。
また、故人記録軸７の巻き取り長さＬ３は故人録付遺影写真額１全体の縦幅Ｌ２と同程度の長さを有し、故人記録軸７の表面側に死去年月日、両親氏名と出身住所、兄弟姉妹氏名、続柄、家紋等の多数の故人情報が書き込み又は貼り付け可能とされているので、宗教は問わず、故人記録軸７には死去年月日、両親氏名と出身住所、兄弟姉妹氏名、故人名、法名、戒名、続柄、家紋、家紋名等の多数の故人情報を書き込み又は貼り付けることができ、故人記録軸７を軸ケース５にコンパクトに収納できるにも拘わらず、非常に多くの故人情報を簡単に得ることが可能になる。
さらに、前記付勢手段２０の付勢に抗して巻取軸１９の軸心廻りの回転を止めるストッパー機構２７が軸ケース５内に設けられており、引き出し用クリップ２５を持って故人記録軸７を最後まで引っ張り出せば巻取軸１９の巻き取り方向への回転が止まり、再度故人記録軸７を少し引っ張れば、巻取軸１９が巻き取り方向に回転して故人記録軸７を巻き取るように構成されているので、軸ケース５から繰り出した故人記録軸７を、引き出し用クリップ２５を持って少し引っ張ることにより、極めて簡単に故人記録軸７を巻取軸１９に巻き取って軸ケース５内に収納することができ、非常に便利である。
なお、故人録付遺影写真額１の大きさは前記実施形態の場合に限定されず、例えば、額本体３の左右幅Ｌ１を例えば２７３ｍｍ程度に設定し、額本体３の縦幅Ｌ４を３７９ｍｍ程度に設定すると共に、軸ケース５の直径を５０ｍｍ程度に設定して、故人録付遺影写真額１の大きさをＢ４判のサイズに対応させるようにしてもよいことは勿論である。
【符号の説明】
【０００９】
１      故人録付遺影写真額
３      額本体
４      額縁
５      軸ケース
７      故人記録軸
１９    巻取軸
２０    付勢手段
２２    引出口
２４    巻き込み防止ストッパー
２５    引き出し用クリップ
Ｌ３    故人記録軸の巻き取り長さ
Ｌ２    故人録付遺影写真額全体の縦幅
【図１】
0003175514.tif 000003
【図２】
0003175514.tif 000004